(57)【要約】【課題】ユーザが緊急情報の内容を見逃すことを抑制することが可能な表示装置を提供する。【解決手段】このテレビジョン（表示装置）１は、テレビジョン放送の映像情報およびＥＡＳメッセージ３０を受信するチューナーユニット２と、チューナーユニット２により受信したテレビジョン放送の映像情報およびＥＡＳメッセージ３０を表示する表示部４と、受信したＥＡＳメッセージ３０をテレビジョン放送の映像情報とともに表示部４に表示するとともに、テレビジョン放送の映像情報のチャンネルを切り替えた際にも、切り替えたチャンネルのテレビジョン放送の映像情報とともにＥＡＳメッセージ３０を継続して表示するように制御する制御部６とを備える。【選択図】図１
2008288709.tif 000002
【特許請求の範囲】
【請求項１】
テレビジョンの映像情報および緊急情報を受信する受信部と、
前記受信部により受信したテレビジョンの映像情報および緊急情報を表示する表示部と、
前記受信した緊急情報をテレビジョンの映像情報とともに前記表示部に表示するとともに、前記テレビジョンの映像情報のチャンネルを切り替えた際にも、前記切り替えたチャンネルのテレビジョンの映像情報とともに前記緊急情報を継続して表示するように制御する制御部とを備える、表示装置。
【請求項２】
前記受信部に受信される緊急情報は、緊急内容を通知する文字情報と、緊急内容を通知する文字情報の表示時間情報とを含み、
前記制御部は、前記緊急内容を通知する文字情報の表示時間に基づいて、前記表示時間が経過するまで前記表示部に前記緊急内容を通知する文字情報を表示し続けるように制御する、請求項１に記載の表示装置。
【請求項３】
前記受信部に受信される緊急情報は、前記緊急内容を通知する文字情報の長さ情報をさらに含み、
前記制御部は、前記緊急内容を通知する文字情報の長さ情報に基づいて前記表示部に前記緊急内容を通知する文字情報の表示方法を選択するように制御する、請求項２に記載の表示装置。
【請求項４】
前記制御部は、前記表示時間が経過するまで前記表示部に前記緊急内容を通知する文字情報を表示し続けるように制御するとともに、前記表示時間が経過しないうちに前記テレビジョンの映像情報のチャンネルを切り替えた際にも前記表示部に前記緊急内容を通知する文字情報を表示し続けるように制御する、請求項２または３に記載の表示装置。
【請求項５】
前記制御部は、前記受信した緊急情報に基づいて前記表示部に前記緊急内容を通知する文字情報を表示するか否かを判断するとともに、前記表示部に前記緊急内容を通知する文字情報を表示しないと判断した場合に、前記表示部に表示された前記テレビジョンの映像情報のチャンネルを緊急情報を通知する専用チャンネルに自動的に切り替えて表示するように制御する、請求項２〜４のいずれか１項に記載の表示装置。
【発明の詳細な説明】
【技術分野】
【０００１】
この発明は、表示装置に関し、特に、テレビジョンの映像情報および緊急情報を受信する受信部を備えた表示装置に関する。
【背景技術】
【０００２】
従来、テレビジョンの映像情報および緊急情報を受信する受信部を備えた表示装置が知られている。また、受信した緊急情報を表示部などに表示するためのシステムおよび装置が知られている（たとえば、特許文献１および２）。
【０００３】
上記特許文献１には、制御部と、テレビ受信部（表示部）とを備えた装置における文字放送システムが開示されている。この特許文献１に記載の文字放送システムでは、緊急放送が放送されていると判断された際に、装置本体のテレビ受信部がオン状態またはオフ状態（表示画面がスタンバイ状態）のいずれの状態の場合にも、強制的に緊急放送のチャンネルを表示するように制御される。なお、テレビ受信部がオフ状態の場合には、自動的に表示画面がオン状態になるとともに強制的に緊急放送のチャンネルを表示するように制御されるように構成されている。
【０００４】
また、上記特許文献２には、チューナ部を備えたディジタル放送受信装置が開示されている。この特許文献２に記載のディジタル放送受信装置では、ＤＶＤなどの外部入力映像を表示している際にチューナ部により緊急警報などの文字スーパー用データが受信された場合に、文字スーパー用データに基づく文字スーパーを外部入力映像と同時に表示するように構成されている。
【０００５】
【特許文献１】特開平１０−１４５７５１号公報
【特許文献２】特開２００３−２３００６８号公報
【発明の開示】
【発明が解決しようとする課題】
【０００６】
しかしながら、上記特許文献１に記載の文字放送システムでは、テレビ受信部（表示部）がオン状態またはオフ状態のいずれの状態であっても緊急放送チャンネルを表示するように構成されている一方で、緊急放送チャンネルが表示されている際にユーザにより表示中のチャンネルが変更された場合については開示も示唆もされていない。したがって、緊急放送チャンネルから他のチャンネルに変更した時点で緊急放送の内容は表示されなくなると考えられるので、ユーザが緊急放送の内容を見逃す可能性があるという問題点がある。
【０００７】
また、上記特許文献２に記載のディジタル放送受信装置では、外部入力映像を表示している場合であっても緊急放送などの文字スーパーを外部入力映像と同時に表示する一方で、緊急放送などの文字スーパーが表示されている際にユーザにより表示中のチャンネルが変更された場合については開示も示唆もされていない。したがって、文字スーパーが表示されているチャンネルから他のチャンネルに変更した時点で文字スーパーは表示されなくなると考えられるので、ユーザが緊急放送の内容を見逃す可能性があるという問題点がある。
【０００８】
この発明は、上記のような課題を解決するためになされたものであり、この発明の１つの目的は、ユーザが緊急情報の内容を見逃すことを抑制することが可能な表示装置を提供することである。
【課題を解決するための手段および発明の効果】
【０００９】
この発明の一の局面による表示装置は、テレビジョンの映像情報および緊急情報を受信する受信部と、受信部により受信したテレビジョンの映像情報および緊急情報を表示する表示部と、受信した緊急情報をテレビジョンの映像情報とともに表示部に表示するとともに、テレビジョンの映像情報のチャンネルを切り替えた際にも、切り替えたチャンネルのテレビジョンの映像情報とともに緊急情報を継続して表示するように制御する制御部とを備える。
【００１０】
この一の局面による表示装置では、上記のように、制御部を、受信した緊急情報をテレビジョンの映像情報とともに表示部に表示するとともに、テレビジョンの映像情報のチャンネルを切り替えた際にも、切り替えたチャンネルのテレビジョンの映像情報とともに緊急情報を継続して表示するように制御するように構成することによって、表示部に緊急情報が表示されている際にテレビジョンの映像情報のチャンネルを切り替えたとしても、表示部には切り替えたチャンネルの映像情報とともに緊急情報が継続して表示されるので、ユーザは、テレビジョンの映像情報のチャンネルを切り替えても緊急情報を視認することができる。したがって、ユーザが緊急情報の内容を見逃すのを抑制することができる。
【００１１】
上記一の局面による表示装置において、好ましくは、受信部に受信される緊急情報は、緊急内容を通知する文字情報と、緊急内容を通知する文字情報の表示時間情報とを含み、制御部は、緊急内容を通知する文字情報の表示時間情報に基づいて、表示時間が経過するまで表示部に緊急内容を通知する文字情報を表示し続けるように制御するように構成される。このように構成すれば、制御部の制御により、表示時間が経過するまで緊急情報の緊急内容を通知する文字情報が表示部に表示され続けるので、ユーザが緊急情報の内容を見逃すのを確実に抑制することができる。また、緊急情報の受信側である表示装置においては、受信された緊急内容を通知する文字情報の表示時間情報に基づいて表示部に緊急情報を表示するので、緊急情報の送信側は、緊急情報の表示時間を表示させたい時間に設定することができる。
【００１２】
この場合、好ましくは、受信部に受信される緊急情報は、緊急内容を通知する文字情報の長さ情報をさらに含み、制御部は、緊急内容を通知する文字情報の長さ情報に基づいて表示部に緊急内容を通知する文字情報の表示方法を選択するように制御するように構成される。このように構成すれば、制御部により、緊急内容を通知する文字情報の長さに基づいて、たとえば、表示部に対して文字情報をスクロールするように表示する表示方法、または、文字情報を複数行に分割して表示する表示方法などの表示方法を選択して表示するように制御するので、ユーザは、容易に表示された緊急情報の内容を認識することができる。
【００１３】
上記緊急内容を通知する文字情報と、緊急内容を通知する文字情報の表示時間情報とを含む緊急情報を受信する受信部を備えた表示装置において、好ましくは、制御部は、表示時間が経過するまで表示部に緊急内容を通知する文字情報を表示し続けるように制御するとともに、表示時間が経過しないうちにテレビジョンの映像情報のチャンネルを切り替えた際にも表示部に緊急内容を通知する文字情報を表示し続けるように制御するように構成される。このように構成すれば、制御部の制御により、表示時間内であればテレビジョンのチャンネルが何度切り替えられても表示部に緊急内容を通知する文字情報が表示され続けるので、ユーザは、確実に緊急情報の内容を認識することができる。
【００１４】
上記緊急内容を通知する文字情報を含む緊急情報を受信する受信部を備えた表示装置において、好ましくは、制御部は、受信した緊急情報に基づいて表示部に緊急内容を通知する文字情報を表示するか否かを判断するとともに、表示部に緊急内容を通知する文字情報を表示しないと判断した場合に、表示部に表示されたテレビジョンの映像情報のチャンネルを緊急情報を通知する専用チャンネルに自動的に切り替えて表示するように制御するように構成される。このように構成すれば、制御部の制御により、表示部に緊急内容を通知する文字情報を表示しないと判断された場合でも緊急情報を通知する専用チャンネルに自動的に切り替えて緊急内容が表示されるので、ユーザは、受信した緊急情報を専用チャンネルにおいて認識することができる。
【発明を実施するための最良の形態】
【００１５】
以下、本発明の実施形態を図面に基づいて説明する。
【００１６】
図１は、本発明の一実施形態によるテレビジョンを示すブロック図である。図２および図３は、本発明の一実施形態によるテレビジョンの表示部における緊急情報の表示方法を説明するための図である。また、図４は、本発明の一実施形態によるテレビジョンに送信される緊急情報のデータを示した図である。まず、図１〜図４を参照して、本発明の一実施形態によるテレビジョン１の構成を説明する。なお、本実施形態では、表示装置の一例であるテレビジョンに本発明を適用した例を説明する。
【００１７】
図１に示すように、テレビジョン１は、放送局から発信される信号を受信するアンテナ（図示せず）を含むチューナーユニット２と、パーソナルコンピュータやＤＶＤプレーヤなどの外部機器と接続される複数の端子３ａを含む外部入力基板３と、ＬＣＤ（Ｌｉｑｕｉｄ  Ｃｒｙｓｔａｌ  Ｄｉｓｐｌａｙ）からなる表示部４と、チューナーユニット２および外部入力基板３から入力される複数の信号から特定の信号を選択して表示部４に出力するＡＶスイッチ５と、テレビジョン１の各部を制御するためのＣＰＵからなる制御部６とを備えている。また、テレビジョン１は、テレビジョン１のボリューム、チャンネルなどの変更、および、設定の変更などを行うための複数のボタン７ａを有する入力部７を備えている。また、入力部７は、リモコン２０からの信号を受信する受信部７ｂを含んでいる。このリモコン２０によっても、上記ボリュームの変更などの操作を行うことが可能である。この入力部７またはリモコン２０による信号は、制御部６に入力される。制御部６は、その信号に基づいて、所定の処理を行うようにテレビジョン１の各部を制御する。なお、チューナーユニット２は、本発明の「受信部」の一例である。
【００１８】
また、チューナーユニット２は、アンテナ（図示せず）により受信した信号のうち、ユーザが指定したチャンネルに対応する放送信号の検波および復調を行うとともに、その結果得たデータを制御部６を介してＡＶスイッチ５に出力するように構成されている。また、チューナーユニット２は、たとえば、ＥＡＳ（Ｅｍｅｒｇｅｎｃｙ  Ａｌｅｒｔ  Ｓｙｓｔｅｍ）に基づく災害情報または気象警報などの緊急情報を含む信号も受信するとともに、受信した信号に基づいた緊急情報をＡＶユニット５を介して表示部４に出力するように構成されている。なお、ＥＡＳとは、非常時の警報システムであり、たとえば、テレビジョン放送またはラジオ放送に割り込むようにして緊急情報を音声または文字情報などにより発信するシステムのことである。
【００１９】
また、表示部４には、ＡＶスイッチ５から入力されたテレビジョン放送の映像情報の信号またはＥＡＳに基づく緊急情報の信号に対応する映像および文字が表示される。具体的には、表示部４にテレビジョン放送の映像情報が表示されている際にＥＡＳに基づく緊急情報の信号を受信した場合には、図２に示すように、表示部４に表示されているテレビジョン放送の映像情報に重なるようにＥＡＳに基づく緊急情報の信号に対応する文字情報としてのＥＡＳメッセージ３０が表示されるように構成されている。
【００２０】
ここで、本実施形態では、制御部６は、図２に示すように、ＥＡＳに基づく緊急情報の文字情報（ＥＡＳメッセージ３０）をテレビジョン放送の映像情報とともに表示部４に表示するように制御する。そして、図３に示すように、テレビジョン放送の映像情報のチャンネルを切り替えた際にも、切り替えたチャンネルのテレビジョン放送の映像情報とともに、ＥＡＳに基づく緊急情報のＥＡＳメッセージ３０を継続して表示するように制御するように構成されている。また、受信するＥＡＳに基づく緊急情報信号のデータとしては、図４に示すようなＥＡＳメッセージフォーマット３０ａのような形式のデータが受信される。ＥＡＳメッセージフォーマット３０ａには、アラートテキスト（緊急内容を通知するＥＡＳメッセージ３０の内容に対応するデータ）３０ｂと、表示時間データ（緊急内容を通知するＥＡＳメッセージ３０の表示時間に対応するデータ）３０ｃと、アラートテキスト長（緊急内容を通知するＥＡＳメッセージ３０の長さ情報に対応するデータ）３０ｄとからなるデータが含まれている。そして、これらのデータが制御部６により解析されるとともに、解析結果に基づいて作成されたＥＡＳメッセージ３０が表示部４に表示されるように構成されている。
【００２１】
また、図１に示すように、制御部６は、ＥＥＰＲＯＭ８に格納された各種設定情報、および、ＲＯＭ９に格納されたプログラムに従ってテレビジョン１の制御を行うように構成されている。ＥＥＰＲＯＭ８の各種設定情報には、たとえば、表示部４における表示に関する設定などが含まれる。具体的には、視聴制限に関する設定、キャプション（字幕）の設定、および、言語の設定などである。また、ＥＥＰＲＯＭ８は、データの書込および消去が可能であり、入力部７などによりユーザが設定情報を変更する毎に、変更後の設定情報がＥＥＰＲＯＭ８に書き込まれる。また、ＳＤＲＡＭ１０は、制御部６によるデータの処理などの演算が行われる際に、データが一時記憶されるメモリである。
【００２２】
図５は、本発明の一実施形態によるテレビジョンの制御部における緊急情報信号を受信した際の制御フローを示したフローチャートである。次に、図１〜図５を参照して、本発明の一実施形態によるテレビジョン１の制御部６によるＥＡＳに基づく緊急情報信号を受信した際の制御動作について説明する。
【００２３】
図５に示すように、まず、ステップＳ１において、ＥＡＳメッセージフォーマット３０ａ（図４参照）が受信されたか否かが判断される。ここで、ＥＡＳメッセージフォーマット３０ａが受信されたと判断された場合には、ステップＳ２に進み、受信されたＥＡＳメッセージフォーマット３０ａが制御部６（図１参照）により解析される。また、ＥＡＳメッセージフォーマット３０ａが受信されていないと判断された場合には、ＥＡＳメッセージフォーマット３０ａが受信されたと判断されるまでこの判断を繰り返し行う。そして、ステップＳ２においてＥＡＳメッセージフォーマット３０ａの解析を行った結果に基づいて、ステップＳ３において、受信したＥＡＳメッセージフォーマット３０ａに含まれるデータ（アラートテキスト３０ｂ）に対応するＥＡＳメッセージ３０が、新たなＥＡＳメッセージ３０であるか否かが判断される。すなわち、未表示のＥＡＳメッセージ３０であるか否かが判断される。そして、ステップＳ３において、受信したＥＡＳメッセージ３０が新たなＥＡＳメッセージ３０ではないと判断されると、ステップＳ１に戻り同様の処理を繰り返す。すなわち、同様の内容のＥＡＳメッセージ３０を繰り返し表示部４に表示することを抑制するために、ステップＳ３において新たなＥＡＳメッセージ３０であるか否かの判断が行われる。
【００２４】
次に、ステップＳ３において受信したＥＡＳメッセージ３０が新たなＥＡＳメッセージ３０であると判断された場合に、ステップＳ４において、ＥＡＳメッセージフォーマット３０ａに含まれるデータ（アラートテキスト３０ｂ）に対応するＥＡＳメッセージ３０を表示させるか否かが判断される。ＥＡＳメッセージ３０を表示させると判断された場合には、ステップＳ５に進み、ＥＡＳメッセージフォーマット３０ａに含まれるデータ（アラートテキスト３０ｂ、表示時間データ３０ｃおよびアラートテキスト長３０ｄのデータ）に基づいてＥＡＳメッセージ３０の表示方法を設定する。
【００２５】
ここで、本実施形態では、制御部６は、緊急内容を通知するＥＡＳメッセージ３０の長さを示すデータであるアラートテキスト長３０ｄのデータに基づいてＥＡＳメッセージ３０の表示部４への表示方法を選択して設定するように制御する。具体的には、上記したように、ＥＡＳメッセージ３０の長さによって表示部４の画面上をスクロールしながら表示する方法、または、ＥＡＳメッセージ３０を複数行に分割して表示する方法などが選択される。また、このとき制御部６により、緊急内容を通知するＥＡＳメッセージ３０の内容に対応するデータであるアラートテキスト３０ｂのデータに基づいて表示部４に表示するＥＡＳメッセージ３０の内容を設定するとともに、緊急内容を通知するＥＡＳメッセージ３０の表示時間に対応するデータである表示時間データ３０ｃに基づいて、ＥＡＳメッセージ３０の表示部４への表示時間を設定する。そして、ステップＳ６に進み、ステップＳ５における設定内容に基づいて表示部４にＥＡＳメッセージ３０が表示される（図２参照）とともに、ステップＳ７に進み、ステップＳ５において設定した表示時間に基づいて、ＥＡＳメッセージ３０の表示時間の秒読み（カウントダウン）が開始される。
【００２６】
そして、ステップＳ８に進み、テレビジョン放送の映像情報のチャンネルの切り替えの指示があるか否かが判断される。チャンネルの切り替えの指示があると判断された場合には、ステップＳ９に進み、指示されたチャンネルに切り替えるとともに、切り替えたチャンネルに対応する映像情報を表示部４に表示する。そして、ステップＳ１０において、ＥＡＳメッセージ３０を継続して表示するように制御する。
【００２７】
ここで、本実施形態では、ＥＡＳメッセージ３０の表示時間が経過しないうちにテレビジョン放送の映像情報のチャンネルを切り替えた際に、表示部４にＥＡＳメッセージ３０を表示し続けるように制御する。具体的には、図２に示すように、テレビジョン放送における６チャンネルの映像情報の表示中にＥＡＳメッセージ３０が表示された際に、ユーザによるチャンネルの切り替えにより、図３に示すように、７チャンネルの映像情報が表示された場合であってもＥＡＳメッセージ３０は表示され続ける。なお、図２および図３に示すように、表示部４には、現在表示されるチャンネル番号４ａが表示される。すなわち、図２に示す表示部４は６チャンネルを表示しているとともに、図３に示す表示部４は７チャンネルを表示していることを示す。また、図２および図３に示す表示部４に表示されたＥＡＳメッセージ３０は、スクロールしながら表示されていることを示す。
【００２８】
そして、ステップＳ１１に進み、ステップＳ５において設定した表示時間が経過したか否かが判断される。そして、表示時間が経過していないと判断された場合はステップＳ８にまで戻り、ステップＳ１１において表示時間が経過したと判断されるまで、ステップＳ８〜ステップＳ１１の処理を繰り返し行う。また、ステップＳ８において、テレビジョン放送の映像情報のチャンネルの切り替えの指示がないと判断された場合には、ステップＳ１１に進み、ステップＳ１１において上記と同様の処理が行われる。
【００２９】
ここで、本実施形態では、制御部６は、ＥＡＳメッセージ３０の表示時間に基づいて、表示時間が経過するまで表示部４にＥＡＳメッセージ３０を表示し続けるように制御する。すなわち、ステップＳ１１において、制御部６により、表示時間が経過したと判断されるまではユーザによりチャンネルの切り替えが複数回行われたとしてもＥＡＳメッセージ３０が表示され続けるように制御される。
【００３０】
そして、ステップＳ１１において表示時間が経過したと判断された場合には、ステップＳ１２に進み、ＥＡＳメッセージ３０の表示を終了するとともに処理が終了される。
【００３１】
また、本実施形態では、ステップＳ４において、ＥＡＳメッセージ３０を表示しないと判断された場合に、ステップＳ１３に進み、ＥＡＳメッセージフォーマット３０ａの表示時間データ３０ｃに基づいて表示時間を設定するとともに、ステップＳ１４に進み、制御部６により、表示部４に表示されたテレビジョン放送の映像情報のチャンネルを緊急情報を通知する専用チャンネル（図示せず）に自動的に切り替えて表示するように制御される。
【００３２】
そして、ステップＳ１４において、ＥＡＳ専用チャンネルの映像情報が表示されるのと同時に、ステップＳ１５において、表示時間の秒読み（カウントダウン）が開始される。そして、ステップＳ１６に進み、表示時間が経過したと判断された場合には、ステップＳ１７に進み、ＥＡＳ専用チャンネルに切り替わる前に表示部４に表示されていたチャンネルに対応する映像情報が表示されて処理が終了する。一方で、ステップＳ１６において、表示時間が経過したと判断されない場合には、表示時間が経過したと判断されるまでこの判断を繰り返す。
【００３３】
本実施形態では、上記のように、制御部６を、受信したＥＡＳメッセージ３０をテレビジョン放送の映像情報とともに表示部４に表示するとともに、テレビジョン放送の映像情報のチャンネルを切り替えた際にも、切り替えたチャンネルのテレビジョン放送の映像情報とともにＥＡＳメッセージ３０を継続して表示するように制御するように構成することによって、表示部６にＥＡＳメッセージ３０が表示されている際にテレビジョン放送の映像情報のチャンネルを切り替えたとしても、表示部４には切り替えたチャンネルの映像情報とともにＥＡＳメッセージ３０が継続して表示されるので、ユーザは、テレビジョン放送の映像情報のチャンネルを切り替えても緊急情報を視認することができる。したがって、ユーザが緊急情報の内容を見逃すのを抑制することができる。
【００３４】
また、本実施形態では、チューナーユニット２に受信されるＥＡＳメッセージ３０のデータとしてのＥＡＳメッセージフォーマット３０ａは、アラートテキスト（緊急内容を通知するＥＡＳメッセージ３０の内容に対応するデータ）３０ｂと、表示時間データ（緊急内容を通知するＥＡＳメッセージ３０の表示時間に対応するデータ）３０ｃとを含み、制御部６を、表示時間データ３０ｃに基づいて、表示時間が経過するまで表示部４にＥＡＳメッセージ３０を表示し続けるように制御するように構成することによって、制御部６の制御により、表示時間が経過するまでＥＡＳメッセージ３０が表示部４に表示され続けるので、ユーザが緊急情報の内容を見逃すのを確実に抑制することができる。また、ＥＡＳメッセージフォーマット３０ａの受信側であるテレビジョン１においては、受信されたＥＡＳメッセージフォーマット３０ａの表示時間データ３０ｃに基づいて表示部４にＥＡＳメッセージ３０を表示するので、緊急情報の送信側は、ＥＡＳメッセージ３０の表示時間を表示させたい時間に設定することができる。
【００３５】
また、本実施形態では、チューナーユニット２に受信されるＥＡＳメッセージフォーマット３０ａは、アラートテキスト長（緊急内容を通知するＥＡＳメッセージの長さ情報に対応するデータ）３０ｄのデータを含み、制御部６を、アラートテキスト長３０ｄのデータに基づいて表示部４へのＥＡＳメッセージ３０の表示方法を選択するように制御するように構成することによって、制御部６により、アラートテキスト長３０ｄのデータに基づいて、ＥＡＳメッセージ３０を、表示部４に対してスクロールするように表示する表示方法、または、ＥＡＳメッセージ３０を複数行に分割して表示する表示方法などの表示方法を選択して表示可能なように制御するので、ユーザは、容易に表示された緊急情報の内容を認識することができる。
【００３６】
また、本実施形態では、制御部６を、表示時間が経過するまで表示部４にＥＡＳメッセージ３０を表示し続けるように制御するとともに、表示時間が経過しないうちにテレビジョン放送の映像情報のチャンネルを切り替えた際にも表示部４にＥＡＳメッセージ３０を表示し続けるように制御するように構成することによって、制御部６の制御により、表示時間内であればテレビジョン放送のチャンネルが何度切り替えられても表示部４にＥＡＳメッセージ３０が表示され続けるので、ユーザは、確実に緊急情報の内容を認識することができる。
【００３７】
また、本実施形態では、制御部６を、受信したＥＡＳメッセージフォーマット３０ａに基づいて表示部４にＥＡＳメッセージ３０を表示するか否かを判断するとともに、表示部４にＥＡＳメッセージを表示しないと判断した場合に、表示部４に表示されたテレビジョン放送の映像情報のチャンネルを緊急情報を通知する専用チャンネルに自動的に切り替えて表示するように制御するように構成することによって、制御部６の制御により、表示部４にＥＡＳメッセージ３０を表示しないと判断された場合でも緊急情報を通知する専用チャンネルに自動的に切り替えて表示されるので、ユーザは、受信した緊急情報を専用チャンネルにおいて認識することができる。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
たとえば、上記実施形態では、表示部４がＬＣＤからなる例を示したが、本発明はこれに限らず、ＰＤＰ（Ｐｌａｓｍａ  Ｄｉｓｐｌａｙ  Ｐａｎａｌ）またはＣＲＴ（ｃａｔｈｏｄｅ  ｒａｙ  ｔｕｂｅ）などから構成してもよい。
【００４０】
また、上記実施形態では、ＥＡＳに基づく緊急情報としてのＥＡＳメッセージ３０が表示部４に表示されている際にテレビジョン放送の映像情報のチャンネルが切り替えられても、切り替えられたチャンネルの映像情報とともにＥＡＳメッセージ３０も表示され続ける例を示したが、本発明はこれに限らず、文字情報として表示可能な緊急情報を受信可能であれば、ＥＡＳ以外のシステムによる緊急情報による文字情報を表示部４に表示する際であっても、チャンネルを切り替えた際に切り替えたチャンネルの映像情報とともに緊急情報が表示され続けてもよい。
【００４１】
また、上記実施形態では、表示時間が経過するまではチャンネルを切り替えても緊急情報としてのＥＡＳメッセージ３０が表示され続ける例を示したが、本発明はこれに限らず、チャンネルを所定の回数切り替えたと判断された場合に緊急情報の表示を終了するようにしてもよい。
【図面の簡単な説明】
【００４２】
【図１】本発明の一実施形態によるテレビジョンを示すブロック図である。
【図２】図１に示した本発明の一実施形態によるテレビジョンの表示部における緊急情報の表示方法を説明するための図である。
【図３】図１に示した本発明の一実施形態によるテレビジョンの表示部における緊急情報の表示方法を説明するための図である。
【図４】図１に示した本発明の一実施形態によるテレビジョンに送信される緊急情報のデータを示した図である。
【図５】図１に示した本発明の一実施形態によるテレビジョンの制御部における緊急情報信号を受信した際の制御フローを示したフローチャートである。
【符号の説明】
【００４３】
１          テレビジョン（表示装置）
２          チューナーユニット（受信部）
４          表示部
６          制御部
３０        ＥＡＳメッセージ（緊急情報）
３０ｂ      アラートテキスト（緊急内容を通知する文字情報）
３０ｃ      表示時間データ（緊急内容を通知する文字情報の表示時間情報）
３０ｄ      アラートテキスト長（緊急内容を通知する文字情報の長さ情報）
【図１】
2008288709.tif 000003
【図２】
2008288709.tif 000004
【図３】
2008288709.tif 000005
【図４】
2008288709.tif 000006
【図５】
2008288709.tif 000007